(57)【要約】【課題】ある人物の希望入所先における選考結果を効率良く出力することを目的としている。【解決手段】入力を受け付けた個人の識別情報に基づき、前記個人の情報と、前記個人と同一の世帯に所属する１または複数の人物の情報とを表示し、表示した前記１または複数の人物からある人物の指定と、前記ある人物に対応付けられた前記ある人物の希望した入所先の指定とを受け付けた際に、前記入所先における入所希望者の選考結果に関する情報を表示する、処理をコンピュータに実行させる。【選択図】図１
2020042443.tif 000002
【特許請求の範囲】
【請求項１】
入力を受け付けた個人の識別情報に基づき、前記個人の情報と、前記個人と同一の世帯に所属する１または複数の人物の情報とを表示し、
表示した前記１または複数の人物からある人物の指定と、前記ある人物に対応付けられた前記ある人物の希望した入所先の指定とを受け付けた際に、前記入所先における入所希望者の選考結果に関する情報を表示する、
処理をコンピュータに実行させる入所情報管理プログラム。
【請求項２】
前記選考結果に関する情報は、前記入所希望者と同一の世帯に所属する人物の前記入所先における選考結果に関する情報を含む、請求項１記載の入所情報管理プログラム。
【請求項３】
前記入所先における前記入所希望者の一覧から、特定の人物の選択を受け付けると、選択された前記特定の人物の情報と、前記特定の自分と同一の世帯に所属する１または複数の人物の情報を表示する、処理を前記コンピュータに実行させる、請求項１又は２記載の入所情報管理プログラム。
【請求項４】
前記入所希望者は、前記入所先への入所が許容された人物と、前記入所先への入所が許容されなかった人物と、を含む、請求項１乃至３の何れか一項に記載の入所情報管理プログラム。
【請求項５】
コンピュータによる、入所情報管理方法であって、該コンピュータが、
入力を受け付けた個人の識別情報に基づき、前記個人の情報と、前記個人と同一の世帯に所属する１または複数の人物の情報とを表示し、
表示した前記１または複数の人物からある人物の指定と、前記ある人物に対応付けられた前記ある人物の希望した入所先の指定とを受け付けた際に、前記入所先における入所希望者の選考結果に関する情報を表示する、入所情報管理方法。
【請求項６】
入力を受け付けた個人の識別情報に基づき、前記個人の情報と、前記個人と同一の世帯に所属する１または複数の人物の情報とを表示する第一の表示制御部と、
表示した前記１または複数の人物からある人物の指定と、前記ある人物に対応付けられた前記ある人物の希望した入所先の指定とを受け付けた際に、前記入所先における入所希望者の選考結果に関する情報を表示する第二の表示制御部と、を有する入所情報管理装置。
【発明の詳細な説明】
【技術分野】
【０００１】
本発明は、入所情報管理プログラム、入所情報管理方法及び入所情報管理装置に関する。
【背景技術】
【０００２】
近年では、保育施設への入所を希望する希望者に対して、保育施設の数が不足しており、待機児童問題が社会問題化している。
【０００３】
また、従来では、待機児童問題を解消するための工夫の一環として、例えば、保護者等のユーザに対し、保育施設の欠員情報を含む保育関連情報を提供するシステムや、保育施設への入所確度に関する有益な情報を利用者に提供するシステム等が知られている。
【先行技術文献】
【特許文献】
【０００４】
【特許文献１】特開２０１１−１８２６１号公報
【特許文献２】特開２００５−２８４８４４号公報
【特許文献３】特開２００３−９９５４４号公報
【発明の概要】
【発明が解決しようとする課題】
【０００５】
上述した従来の技術は、子供を保育施設へ入所させたい保護者に対する支援を行うものであって、入所希望者の保育施設への入所の選考や、選考結果に対する問い合わせへの対応を行う自治体の職員等に対する支援は、提案されていない。
【０００６】
従来では、自治体の職員は、例えば、保育施設への入所の可否を示す選考結果について、保護者等から問い合わせを受けた場合、この保育施設でどのような選考が行われたかを検討しながら問い合わせに対応する必要があり、負担が大きい。
【０００７】
１つの側面では、本発明は、ある人物の希望入所先における選考結果を効率良く出力することを目的としている。
【課題を解決するための手段】
【０００８】
一つの態様では、入力を受け付けた個人の識別情報に基づき、前記個人の情報と、前記個人と同一の世帯に所属する１または複数の人物の情報とを表示し、表示した前記１または複数の人物からある人物の指定と、前記ある人物に対応付けられた前記ある人物の希望した入所先の指定とを受け付けた際に、前記入所先における入所希望者の選考結果に関する情報を表示する、処理をコンピュータに実行させる。
【０００９】
上記各処理は、上記各部の機能を実現する各部、各部の機能を実現する手順としても良く、各処理をコンピュータに実行させるプログラムを記憶したコンピュータ読み取り可能な記憶媒体とすることもできる。
【発明の効果】
【００１０】
ある人物の希望入所先における選考結果を効率良く出力することができる。
【図面の簡単な説明】
【００１１】
【図１】本実施形態の入所情報管理装置による表示の概要を説明する図である。
【図２】入所情報管理システムの一例を示す図である。
【図３】入所情報管理装置のハードウェア構成の一例を示す図である。
【図４】入所情報管理処理部の機能を説明する図である。
【図５】入所情報管理装置の動作を説明するフローチャートである。
【図６】メニュー画面の一例を示す図である。
【図７】世帯別画面の一例を示す第一の図である。
【図８】世帯別画面の一例を示す第二の図である。
【図９】世帯別画面の一例を示す第三の図である。
【図１０】世帯別画面の一例を示す第四の図である。
【図１１】世帯別画面の一例を示す第五の図である。
【図１２】世帯別画面の一例を示す第六の図である。
【図１３】世帯別画面の一例を示す第七の図である。
【図１４】世帯別画面の一例を示す第八の図である。
【図１５】事業所別画面の一例を示す第一の図である。
【図１６】事業所別画面の一例を示す第二の図である。
【図１７】事業所別画面の一例を示す第三の図である。
【図１８】事業所別画面の一例を示す第四の図である。
【図１９】事業所別画面の一例を示す第五の図である。
【図２０】事業所別画面の一例を示す第六の図である。
【図２１】事業所別画面の一例を示す第七の図である。
【図２２】事業所別画面から遷移した世帯別画面の一例を示す図である。
【図２３】申請関連情報の第一の登録画面の例を示す図である。
【図２４】申請関連情報の第二の登録画面の例を示す図である。
【図２５】世帯別画面の変形例を示す図である。
【発明を実施するための形態】
【００１２】
以下に図面を参照して、実施形態について説明する。図１は、本実施形態の入所情報管理装置による表示の概要を説明する図である。
【００１３】
本実施形態の入所情報管理装置は、例えば、自治体等に設置されており、子供の保育施設への入所を希望する保護者等から、保育施設への入所の可否に対する問い合わせを受けた場合等に、自治体の職員等によって利用される。
【００１４】
本実施形態の入所情報管理装置では、個人を識別する識別情報が入力されると、この個人が属する世帯に関する情報と、個人の保育施設の入所に対する選考結果を示す情報とを、含む情報を表示させる。
【００１５】
以下の説明では、個人が属する世帯に関する情報を世帯情報と呼ぶ。また、以下の説明では、個人の施設の入所に対する選考結果を示す情報を、選考結果情報と呼ぶ。
【００１６】
また、入所情報管理装置では、世帯に関する情報から、特定の人物と、この人物が入所を希望した施設との指定を受け付けると、この人物が希望した保育施設における、入所希望者毎の選考結果情報と、選考結果に影響する可能性があると考えられる情報と、を含む情報を表示させる。
【００１７】
以下の説明では、選考結果に影響する可能性があると考えられる情報を、選考関連情報と呼ぶ。
【００１８】
図１に示す画面１１は、世帯に関する情報が表示された画面の例を示す。画面１１には、入力欄１２と、表示欄１３と、選択欄１４、１５と、画面遷移を指示する操作ボタン１６とが表示されている。
【００１９】
入力欄１２には、個人を識別する識別情報が入力される。個人を識別する識別情報とは、例えば、個人の氏名や生年月日等を含む。
【００２０】
表示欄１３には、入力欄１２に入力された個人が属する世帯情報と、個人の保育施設の選考結果情報と、が表示される。尚、個人が入所を希望した保育施設は、複数であっても良い。以下の説明では、世帯に関する情報を、世帯情報と呼ぶ場合がある。また、表示欄１３には、世帯情報と、選考結果情報の他に、個人の保育施設への入所の申請に関する申請関連情報が表示されても良い。
【００２１】
選択欄１４は、世帯に属する人物から特定の人物を選択するための入力欄であり、選択欄１５は、選択欄１４で選択された人物が希望する入所先（保育施設）を選択するための入力欄である。
【００２２】
画面１１の例では、入力欄１２に、個人の識別情報として、氏名「ＡＡ  ａａ」と年齢と生年月日が入力されている。
【００２３】
また、表示欄１３には、氏名「ＡＡ  ａａ」と、氏名「ＡＡ  ａａ」と同一世帯に属する人物の氏名「ＡＡ  ｂｂ」と、両者の年齢と、入所を希望している保育施設名と、保育施設への入所の可否を示す選考結果とが表示されている。画面１１の例では、「ＡＡ  ａａ」、「ＡＡ  ｂｂ」が兄弟であることと、両者が共にもＴ保育園への入所を希望したこと、両者が共にＴ保育園への入所が認められなかったことがわかる。
【００２４】
また、画面１１では、選択欄１４に、氏名「ＡＡ  ｂｂ」が入力され、選択欄１５に「Ｔ保育園」が入力されている。この状態で、操作ボタン１６が操作されると、画面１１は、画面１１Ａに遷移する。
【００２５】
画面１１Ａでは、選択欄１５で指定された保育施設における、この保育施設への入所を希望した入所希望者に対する選考結果情報と、選考関連情報とが表示される。
【００２６】
また、画面１１Ａには、表示欄１７、１８が表示されている。表示欄１７には、選択欄１５で選択された保育施設名が表示される。表示欄１８には、表示欄１７に保育施設名が表示されたＴ保育園における、入所希望者毎の選考結果情報と、選考関連情報とが表示される。尚、表示欄１７には、入所希望書毎の申請関連情報が表示されても良い。
【００２７】
このように、本実施形態では、特定の個人を含む世帯情報を表示す画面から、この個人が入所を希望した施設毎の選考結果情報と選考関連情報とを表示する画面へ遷移させることができる。
【００２８】
したがって、本実施形態によれば、ある人物の希望入所先における選考結果を効率良く出力することができる。
【００２９】
以下の説明では、画面１１のように、世帯毎の世帯情報と、選考結果情報とを含む情報が表示される画面を、世帯別画面と呼ぶ。また、世帯別画面に表示される情報を、世帯別情報と呼ぶ。世帯別情報は、世帯情報、選考結果情報、申請関連情報を含み、世帯に属する人物毎に表示される。つまり、本実施形態の世帯別情報は、識別情報が入力された個人の情報と、個人と同一の世帯に属する１又は複数の人物の情報である。
【００３０】
さらに、以下の説明では、画面１１Ａのように、保育施設（事業所）毎に、入所希望者の選考結果情報と、選考関連情報とを含む情報を表示させる画面を、事業所別画面と呼ぶ。また、事業所別画面に表示される情報を、事業所別情報と呼ぶ。事業所別情報には、入所希望者毎の選考結果情報、選考関連情報、申請関連情報が含まれる。
【００３１】
例えば、自治体の職員等が、窓口や電話等で、氏名「ＡＡ  ａａ」の保護者から、Ｔ保育施設での選考結果について問い合わせを受けたとする。この場合、自治体の職員により、画面１１の入力欄１２に「ＡＡ  ａａ」が入力されると、入所情報管理装置は、表示欄１３に世帯情報と選考結果情報とを表示させる。
【００３２】
自治体の職員は、この世帯情報を閲覧することで、氏名「ＡＡ  ａａ」の兄弟の「ＡＡ  ｂｂ」もＴ保育施設への入所を希望していたことと、兄弟ともに入所が認められなかったことを把握できる。
【００３３】
また、画面１１の選択欄１４、１５のそれぞれに、氏名「ＡＡ  ａａ」と「Ｔ保育施設」が指定されて操作ボタン１６が操作されると、入所情報管理装置は、画面１１を、画面１１Ａに遷移させ、Ｔ保育施設における入所希望者毎の選考結果情報と選考関連情報を表示させる。
【００３４】
自治体の職員は、画面１１Ａを閲覧することで、「ＡＡ  ａａ」、「ＡＡ  ｂｂ」が共に、Ｔ保育施設が存在する自治体の外部に在住していることを把握できる。
【００３５】
このため、本実施形態によれば、自治体の職員が、氏名「ＡＡ  ａａ」の保護者の問い合わせに対して、氏名「ＡＡ  ａａ」の世帯の状況等を踏まえた適切な対応をするための支援を行うことができる。
【００３６】
以下に、本実施形態の入所情報管理装置について説明する。図２は、入所情報管理システムの一例を示す図である。
【００３７】
本実施形態の入所情報管理システム１００は、入所情報管理装置２００と、端末装置３００とを有しており、例えば、自治体の役所等に導入される。本実施形態の入所情報管理システム１００において、入所情報管理装置２００と端末装置３００とは、ネットワーク等を介して接続される。
【００３８】
本実施形態の入所情報管理装置２００は、住民情報データベース２１０、業務情報データベース２２０、選考結果データベース２３０、入所情報管理処理部２４０を有する。
【００３９】
本実施形態の住民情報データベース２１０は、入所情報管理システム１００が導入された自治体に居住している住民に関する住民情報が格納される。本実施形態の住民情報とは、例えば、住民の戸籍に関する情報、課税に関する情報等の個人情報を含むものであり、一般的に自治体が保持している情報を示す。
【００４０】
業務情報データベース２２０は、入所情報管理装置２００の入所情報管理処理部２４０による処理の際に参照される情報が格納される。言い換えれば、業務情報データベース２２０は、入所情報管理装置２００を用いる業務に関する業務情報が格納される。
【００４１】
本実施形態の業務情報は、例えば、保育施設の入所申請に関する情報等が含まれる。言い換えれば、本実施形態の業務情報は、保育施設の入所希望者毎の家族構成や就労の有無、入所を希望する児童の年齢等を含む住民情報と、希望する保育施設の条件等、保育施設の入所申請の際に登録される申請関連情報を含む。
【００４２】
また、本実施形態の業務情報データベース２２０には、自治体に設けられた保育施設に関する情報が含まれる。具体的には、例えば、保育施設毎の空き状況を示す情報や、各保育施設の入所者を特定する情報等を示す情報が含まれる。
【００４３】
本実施形態の業務情報は、例えば、端末装置３００等から、自治体の職員等によって予め登録される。
【００４４】
選考結果データベース２３０は、保育施設の入所希望者に対して、入力する保育施設を割り当てた結果（選考結果）を示す選考結果情報が格納される。
【００４５】
本実施形態の選考結果データベース２３０に格納される選考結果情報は、例えば、業務情報データベース２２０に格納された業務情報を、人工知能（ＡＩ；artificial  intelligence），によるマッチングツールに入力した結果として、取得した情報である。
【００４６】
本実施形態の入所情報管理処理部２４０は、端末装置３００からの要求に応じて、業務情報データベース２２０と選考結果データベース２３０を参照して、世帯別情報や、事業所別情報を出力させる。言い換えれば、入所情報管理処理部２４０は、端末装置３００からの要求に応じて、世帯別画面や事業所別画面を表示させる。
【００４７】
尚、本実施形態では、入所情報管理装置２００は、住民情報データベース２１０、業務情報データベース２２０、選考結果データベース２３０を有するものとしたが、これに限定されない、住民情報データベース２１０、業務情報データベース２２０、選考結果データベース２３０は、全てが入所情報管理装置２００以外の装置に設けられていても良いし、一部が入所情報管理装置２００に設けられていても良い。
【００４８】
図３は、入所情報管理装置のハードウェア構成の一例を示す図である。本実施形態の入所情報管理装置２００は、それぞれバスで相互に接続されている入力装置２１、出力装置２２、ドライブ装置２３、補助記憶装置２４、メモリ装置２５、演算処理装置２６及びインターフェース装置２７を含む。
【００４９】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００５０】
入所情報管理処理部２４０を実現させる入所情報管理プログラムは、入所情報管理装置２００を制御する各種プログラムの少なくとも一部である。入所情報管理プログラムは例えば記憶媒体２８の配布やネットワークからのダウンロード等によって提供される。入所情報管理プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００５１】
また、入所情報管理プログラムは、入所情報管理プログラムを記録した記憶媒体２８がドライブ装置２３にセットされると、記憶媒体２８からドライブ装置２３を介して補助記憶装置２４にインストールされる。ネットワークからダウンロードされた入所情報管理プログラムは、インターフェース装置２７を介して補助記憶装置２４にインストールされる。
【００５２】
補助記憶装置２４は、インストールされた入所情報管理プログラムを格納すると共に、住民情報データベース２１０、業務情報データベース２２０、選考結果データベース２３０に格納された情報のような各種の必要なファイル、データ等を格納する。メモリ装置２５は、入所情報管理装置２００の起動時に補助記憶装置２４から入所情報管理プログラムを読み出して格納する。そして、演算処理装置２６はメモリ装置２５に格納された入所情報管理プログラムに従って、後述するような各種処理を実現している。
【００５３】
次に、図４を参照して、本実施形態の入所情報管理処理部２４０の機能について説明する。図４は、入所情報管理処理部の機能を説明する図である。
【００５４】
本実施形態の入所情報管理処理部２４０は、入力受付部２４１、世帯別情報抽出部２４２、事業所別情報抽出部２４３、表示制御部２４４、出力部２４５、申請登録部２４６を有する。
【００５５】
入力受付部２４１は、入所情報管理装置２００に対する各種の情報の入力を受け付ける。具体的には、入力受付部２４１は、例えば、端末装置３００からの世帯別情報の表示要求や、事業所別情報の表示要求の入力を受け付ける。また、入力受付部２４１は、保育施設の入所申請に関する申請関連情報の入力を受け付ける。
【００５６】
世帯別情報抽出部２４２は、入力受付部２４１により、個人を特定する識別情報の入力を受け付けると、各データベースを参照して、識別情報が特定する個人を含む世帯の世帯情報、選考結果情報、申請関連情報を抽出する。言い換えれば、世帯別情報抽出部２４２は、世帯別画面に表示させる世帯別情報を抽出する。
【００５７】
事業所別情報抽出部２４３は、世帯情報に含まれる人物と、この人物の希望する入所先とされた保育施設（事業所）の指定を受け付けると、各データベースを参照して、入所先とされた保育施設における、入所希望者毎の選考結果情報と、選考関連情報と、申請関連情報とを抽出する。言い換えれば、事業所別情報抽出部２４３は、事業所別画面に表示させる事業所別情報を抽出する。
【００５８】
表示制御部２４４は、世帯別情報抽出部２４２、事業所別情報抽出部２４３が抽出した情報に基づき、世帯別画面を表示させる画面データや事業所別画面を表示させる画面データを生成する。
【００５９】
出力部２４５は、表示制御部２４４が生成した画面データを端末装置３００に出力し、表示させる。尚、出力部２４５は、表示制御部２４４が生成した画面データを出力装置２２に表示させても良い。
【００６０】
申請登録部２４６は、保育施設の入所申請に関する情報が入力されると、この情報を業務情報データベース２２０に格納する。
【００６１】
次に、図５を参照して、本実施形態の入所情報管理装置２００の動作について説明する。図５は、入所情報管理装置の動作を説明するフローチャートである。
【００６２】
本実施形態の入所情報管理装置２００の入所情報管理処理部２４０は、起動すると、メニュー画面を端末装置３００に表示させる（ステップＳ５０１）。
【００６３】
続いて、入所情報管理処理部２４０は、入力受付部２４１により、メニュー画面において、世帯別画面を表示させるメニューが選択されたか否かを判定する（ステップＳ５０２）。
【００６４】
ステップＳ５０２において、該当するメニューが選択されない場合、入所情報管理処理部２４０は、後述するステップＳ５１０へ進む。
【００６５】
ステップＳ５０２において、該当するメニューが選択された場合、入所情報管理処理部２４０は、入力受付部２４１は、メニュー画面を世帯別画面に遷移させ、世帯情報を抽出する対象となる個人（対象者）を特定する識別情報の入力を受け付ける（ステップＳ５０３）。
【００６６】
続いて、入所情報管理処理部２４０は、世帯別情報抽出部２４２により、対象者が属する世帯の世帯情報と選考結果情報と、を含む世帯別情報を抽出し、表示制御部２４４により、世帯別情報を含む世帯別画面の画面データを生成する（ステップＳ５０４）。
【００６７】
続いて、入所情報管理処理部２４０は、出力部２４５により、画面データを端末装置３００に出力する（ステップＳ５０５）。つまり、入所情報管理処理部２４０は、端末装置３００に対象者の世帯情報を含む世帯別画面を表示させる。
【００６８】
ここで、本実施形態の世帯別情報抽出部２４２と表示制御部２４４と出力部２４５とは、個人の識別情報が入力されると、個人の世帯別情報を表示させる第一の表示制御部の一例となる。
【００６９】
次に、入所情報管理処理部２４０は、入力受付部２４１により、特定の人物と、この特定の人物が希望する入所先の保育施設の指定を受け付けたか否かを判定する（ステップＳ５０６）。ステップＳ５０６において、人物と保育施設の指定を受け付けない場合、入所情報管理処理部２４０は、後述するステップＳ５０９へ進む。
【００７０】
ステップＳ５０６において、人物と保育施設の指定を受け付けると、入所情報管理処理部２４０は、事業所別情報抽出部２４３により、指定された保育施設における各入所希望者の選考結果情報と選考関連情報とを含む事業所別情報を抽出し、表示制御部２４４により、事業所別情報を含む事業所別画面の画面データを生成する（ステップＳ５０７）。
【００７１】
続いて、入所情報管理処理部２４０は、出力部２４５により、事業所別画面の画面データを端末装置３００に出力する（ステップＳ５０８）。つまり、入所情報管理処理部２４０は、端末装置３００に指定された保育施設の事業所別画面を表示させる。
【００７２】
ここで、本実施形態の事業所別情報抽出部２４３と表示制御部２４４と出力部２４５とは、人物と人物の希望する入所先の指定を受けて、入所先における事業所別情報を表示させる第二の表示制御部の一例となる。
【００７３】
続いて、入所情報管理処理部２４０は、入力受付部２４１により、表示の終了の指示を受け付けたか否かを判定する（ステップＳ５０９）。ステップＳ５０９において、表示の終了指示を受け付けた場合、入所情報管理処理部２４０は、処理を終了する。
【００７４】
ステップＳ５０９において、表示の終了指示を受け付けていない場合、入所情報管理処理部２４０は、ステップＳ５０２へ戻る。
【００７５】
ステップＳ５０２において、世帯別画面の表示の選択を受け付けない場合、入所情報管理処理部２４０は、入力受付部２４１により、事業所別画面を表示させるメニューの選択を受け付けたか否かを判定する（ステップＳ５１０）。
【００７６】
ステップＳ５１０において、事業所別画面を表示させるメニューの選択を受け付けない場合、入所情報管理処理部２４０は、ステップＳ５０９へ進む。
【００７７】
ステップＳ５１０において、事業所別画面を表示させるメニューの選択を受け付けない場合、入所情報管理処理部２４０は、入力受付部２４１により、対象となる保育施設の入力を受け付ける（ステップＳ５１１）。
【００７８】
続いて、入所情報管理処理部２４０は、事業所別情報抽出部２４３により、各データベースを参照して、入力された保育施設における事業所別情報を取得し、表示制御部２４４により、事業所別画面の画面データを生成する（ステップＳ５１２）。
【００７９】
続いて、入所情報管理処理部２４０は、出力部２４５により、事業所別画面の画面データを端末装置３００に出力する（ステップＳ５１３）。つまり、入所情報管理処理部２４０は、事業所別画面を端末装置３００に表示させる。
【００８０】
続いて、入所情報管理処理部２４０は、入力受付部２４１により、事業所別画面において、人物の選択と、世帯別画面の表示指示とを受け付けたか否かを判定する（ステップＳ５１４）。ステップＳ５１４において、人物の選択と表示指示を受け付けない場合、入所情報管理処理部２４０は、ステップＳ５０９へ進む。
【００８１】
ステップＳ５１４において、人物の選択と世帯別画面の表示指示を受け付けた場合、入所情報管理処理部２４０は、世帯別情報抽出部２４２により、各データベースを参照して、選択された人物が属する世帯の世帯別情報を抽出し、世帯別画面を端末装置３００に表示させ（ステップＳ５１５）、ステップＳ５０９へ進む。
【００８２】
このように、本実施形態では、世帯別画面から、人物と、希望する入所先の保育施設とが指定されると、指定された保育施設の入所希望者毎の選考結果と、選考結果に影響する可能性があると考えられる情報とを事業所別画面を表示させることができる。
【００８３】
また、本実施形態によれば、事業所別画面から、人物の指定を受け付けると、この人物が属する世帯の世帯別情報を示す世帯別画面を表示させることができる。
【００８４】
以下に、本実施形態の入所情報管理処理部２４０による表示例について説明する。図６は、メニュー画面の一例を示す図である。
【００８５】
図６らに示す画面６０１は、例えば、端末装置３００や入所情報管理装置２００のディスプレイ等に表示されたメニュー画面の一例を示している。
【００８６】
画面６０１には、表示欄６１１には、メニューの一覧が表示されている。このメニューの中には、保育施設毎の事業所別情報を表示させるメニュー６１２と、世帯別情報を表示させるメニュー６１３とが含まれる。
【００８７】
入所情報管理装置２００は、メニュー６１２が選択されると、表示制御部２４４により、画面６０１を事業所別画面に遷移させる。また、入所情報管理装置２００は、メニュー６１３が選択されると、表示制御部２４４により、画面６０１を世帯別画面に遷移させる。
【００８８】
次に、画面６０１においてメニュー６１３が選択され、世帯別画面へ遷移した場合の表示例について説明する。
【００８９】
図７は、世帯別画面の一例を示す第一の図である。図７に示す画面６０２は、表示欄６１１と、表示欄６２１、入力欄６２２、入力欄６２３、表示欄６２４、入力欄６２５が含まれる。
【００９０】
表示欄６２１は、画面６０２が世帯別画面であることを示す情報が表示される。入力欄６２２は、個人を特定する識別情報等を入力するための入力欄である。入力欄６２３は、選考結果情報を検索する際の検索条件を入力するための入力欄である。表示欄６２４は、世帯別情報が表示される。入力欄６２５は、世帯別画面である画面６０２を事業所別画面へ遷移させるために、指定する個人と保育施設とを入力するための入力欄である。
【００９１】
図７に示す画面６０２において、例えば、入力欄６２２は、図１に示す画面１１の入力欄１２に相当し、表示欄６２４は、画面１１の表示欄１３に相当し、入力欄２６５は、画面１１の選択欄１４、１５に相当する。
【００９２】
画面６０２の例では、入力欄６２２には、個人を特定する識別情報として、氏名、成年月日、性別、年齢、住所が含まれ、「サトウ  ○○」が個人として特定されており、入力欄６２３には、選考結果情報の検索条件として、入所希望月「Ｈ３０．０７」と選考日「Ｈ３０．６．２０」とが入力されている。
【００９３】
したがって、画面６０２の表示欄６２４には、「サトウ  ○○」が属する世帯の世帯情報と、入所希望月を「Ｈ３０．０７」とした申請に対する選考日「Ｈ３０．６．２０」の選考結果情報と、を含む世帯別情報が表示される。
【００９４】
本実施形態の世帯別情報には、選考結果情報６３０と、世帯情報６３１と、申請関連情報６３２と、を含む。
【００９５】
選考結果情報６３０は、入力欄６２２で入力された個人以外にも、世帯情報に含まれる保育施設への他の入所希望者が存在する場合には、他の入所希望者についても表示される。
【００９６】
選考結果情報６３０は、情報の項目として、選考結果、クラス年齢、申請種別、入所選考結果事業所等を含む。
【００９７】
項目「選考結果」の値は、対応する入所選考結果事業所における選考結果を示す。項目「クラス年齢」の値は、保育施設において入所するクラスの年齢を示す。項目「申請種別」の値は、入所選考結果事業所に対して新規入所者として、入所希望の申請を行ったか、又は、転園希望者として、入所希望の申請を行ったかを示す。
【００９８】
尚、項目「選考結果」、「入所選考結果事業所」以外の項目は、後述する申請関連情報として扱われても良い。本実施形態の選考結果情報６３０は、項目「選考結果」、「入所選考結果事業所」の値が含まれていれば良い。
【００９９】
世帯情報６３１は、入力欄６２２で入力された個人を含む世帯に属する人物の氏名が含まれる。
【０１００】
申請関連情報６３２は、申請関連情報６３２−１〜６３２−６を含み、スライドバーＢを操作して、表示欄６２４内の表示を横方向にスクロールすることで、申請関連情報６３２−１〜６３２−６が表示される。図７の例では、申請関連情報６３２−１が表示されている。申請関連情報６３２−１は、情報の項目として、同時入所区分、保育必要量を含む。項目「同時入所区分」の値は、きょうだいが入所する保育施設や入所時期等の区分を示し、項目「必要保育量」の値は、保育施設の利用が可能とされる時間帯を示す。
【０１０１】
入力欄６２５には、事業所別画面へ遷移させる際に個人を特定するための選択欄６４１と、事業所を特定するための選択欄６４２と、画面の遷移を指示する操作ボタン６４３とが含まれる。入力欄６２５における情報の入力と、画面の遷移についての詳細は後述する。
【０１０２】
図８乃至図１２は、表示欄６２４において、スライドバーＢをスライドさせて、表示欄６２４に申請関連情報６３２−２〜６３２−６を表示させた場合の表示例を示している。
【０１０３】
図８は、世帯別画面の一例を示す第二の図である。図８の画面６０２では、表示欄６２４に、申請関連情報６３２−２が表示されている。尚、本実施形態では、選考結果情報６３０の一部と、世帯情報６３１とは、スライドバーＢの操作に関わらず、常に表示欄６２４に表示されるものとした。
【０１０４】
図８に示す申請関連情報６３２−２には、保育施設の利用の希望開始日と希望終了日、児童の障がいの程度を示す項目と、入所を希望する保育施設と希望順とを示す項目等が含まれることがわかる。
【０１０５】
図９は、世帯別画面の一例を示す第三の図である。図９の画面６０２では、表示欄６２４に、申請関連情報６３２−３が表示されている。申請関連情報６３２−３では、申請関連情報６３２−２に続いて、入所を希望する保育施設と希望順とを示す項目が含まれることがわかる。
【０１０６】
図１０は、世帯別画面の一例を示す第四の図である。図１０の画面６０２では、表示欄６２４に、申請関連情報６３２−４が表示されている。
【０１０７】
申請関連情報６３２−４には、入所を希望する保育施設の前に、在籍していた保育施設の名称、入所選考に関する注意点、優先利用理由、選考優先区分等を示す項目が含まれることがわかる。入所選考に関する注意点、優先利用理由、選考優先区分等の項目は、例えば、保育施設への入所の申請を行う際に入力されても良いし、住民情報データベース２１０に格納されている住民情報から取得されても良い。
【０１０８】
図１１は、世帯別画面の一例を示す第五の図である。図１１の画面６０２では、表示欄６２４に、申請関連情報６３２−５が表示されている。
【０１０９】
申請関連情報６３２−５には、入力欄６２２で指定された個人の保護者氏名、入力欄６２２で入力された住所と保育施設の住所とが同じ市内であるか否かを示す受託フラグ、保育施設への入所希望を保護者が申請した日付を示す申請日等を示す項目が含まれる。また、申請関連情報６３２−５には、同一世帯内で入所を希望するきょうだいが複数存在する場合の優先度を示す優先順位、世帯の生活保護の適用の有無等を示す項目が含まれる。
【０１１０】
図１２、世帯別画面の一例を示す第六の図である。図１２の画面６０２では、表示欄６２４に、申請関連情報６３２−６が表示されている。
【０１１１】
申請関連情報６３２−６には、この世帯がひとり親世帯であるか否か、世帯情報６３１に表示された人物の障害の有無等を示す項目が含まれる。
【０１１２】
尚、上述した申請関連情報６３２に含まれる各項目は、一例である。申請関連情報６３２は、図８乃至図１２に示す項目を全て含んでいなくても良く、また、申請関連情報６３２は、図８乃至図１２に示す項目以外の項目を含んでいても良い。
【０１１３】
次に、図１３と図１４を参照して、世帯別画面から事業所別画面への遷移について説明する。図１３は、世帯別画面の一例を示す第七の図である。
【０１１４】
画面６０２では、入力欄６２５の選択欄６４１において、「サトウ  ○子」が選択されており（図７参照）、図１３の例では、入力欄６２５の選択欄６４２に、「サトウ  ○子」が入所を希望した複数の保育施設の一覧が表示されている。また、図１３の例では、選択欄６４２において、「Ｔ保育園」が選択されている。
【０１１５】
図１４は、世帯別画面の一例を示す第八の図である。図１４の画面６０２では、入力欄６２５の選択欄６４１で、「サトウ  ○子」が選択されており、選択欄６４２で「Ｔ保育園」が選択されている。
【０１１６】
本実施形態では、この状態で、操作ボタン６４３が選択されると、世帯別画面である画面６０２が、選択欄６４２で選択されたＴ保育園についての事業所別画面に遷移する。
【０１１７】
以下に、図１５乃至図２２を参照して、事業所別画面の表示例について説明する。
【０１１８】
図１５は、事業所別画面の一例を示す第一の図である。図１５に示す画面６０３は、表示欄６１１と、表示欄６５１、入力欄６５２、表示欄６５３、表示欄６５４、入力欄６５５が含まれる。
【０１１９】
表示欄６５１は、画面６０３が事業所別画面であることを示す情報が表示される。入力欄６５２は、画面６０２で指定された保育施設に関する事業所別情報を抽出する際の検索情報が入力される。表示欄６５３は、画面６０２で指定された保育施設に関する情報が表示される。
【０１２０】
表示欄６５４は、画面６０２で指定された保育施設における、入所希望者毎の選考結果情報と、選択関連情報と、申請関連情報とが表示される。入力欄６５５は、表示欄６５４に表示された入所希望者を含む世帯の世帯別画面へ遷移させることための選択欄６７１と操作ボタン６７２が表示される。また、入力欄６５５は、画面６０３を申請関連情報の登録画面へ遷移させるための操作ボタン６７３が表示される。
【０１２１】
図１５に示す画面６０３の入力欄６５２では、Ｔ保育園について、選考結果情報を抽出する条件として、入所希望月を平成３０年４月とし、保育必要量を標準とした４歳のクラスについて、平成３０年１月２１に選考した結果であることが設定されている。
【０１２２】
また、表示欄６５３には、このときの保育園Ｔに関する情報として、空き定員（空き数）、利用定員（現在の利用者数）、今回配置人数（新たに配置された人数）等の項目が表示されている。つまり、表示欄６５３には、現在のＴ保育園の空き状況を示す情報が表示されている。
【０１２３】
表示欄６５４には、Ｔ保育園に入所を希望した入所希望者毎の、Ｔ保育園に対する入所の可否を示す選考結果を示す選考結果情報６６１と、入所希望者毎の選考関連情報６６２とが表示される。
【０１２４】
選考関連情報６６２は、選考関連情報６６２−１〜６６２−７を含み、スライドバーＢを操作して、表示欄６５４内の表示を横方向にスクロールすることで、選考関連情報６６２−１〜６６２−７が表示される。
【０１２５】
図１５の画面６０３では、表示欄６５４に、選考関連情報６６２−１が表示されている。選考関連情報６６２−１は、入所希望者が入所を希望するクラスの年齢、申請種別、入所選考結果事業所、同時入力区分、保育必要量等の項目を含む。
【０１２６】
図１６は、事業所別画面の一例を示す第二の図である。図１６の画面６０３では、表示欄６５４に、選考関連情報６６２−２が表示されている。尚、本実施形態では、選考結果情報６６１は、スライドバーＢの操作の操作に関わらず、常に表示欄６５４に表示されるものとした。
【０１２７】
図１６に示す選考関連情報６６２−２には、保育施設の利用の希望開始日と希望終了日、入所希望者の障がいの程度を示す項目が含まれる。また、選考関連情報６６２−２には、入所希望者毎に、きょうだいが入力しているか否かを示す項目「きょうだい入所」、きょうだいの数を示す項目「きょうだい数」、同時入所の希望の有無を示す項目等が含まれる。
【０１２８】
つまり、選考関連情報６６２−２には、入所希望者毎のきょうだいに関する情報が含まれる。
【０１２９】
図１７は、事業所別画面の一例を示す第三の図である。図１７の画面６０３では、表示欄６５４に、選考関連情報６６２−３が表示されている。
【０１３０】
選考関連情報６６２−３は、世帯の生活保護の適用の有無、ひとり親世帯であるか否か、障がいの有無等を示す項目が含まれる。また、選考関連情報６６２−３は、Ｔ保育園の入所希望者が、申請時に希望していた他の保育施設を示す項目等を含む。
【０１３１】
図１８は、事業所別画面の一例を示す第四の図である。図１８の画面６０３では、表示欄６５４に、選考関連情報６６２−４が表示されている。選考関連情報６６２−４は、Ｔ保育園の入所希望者が、申請時に希望していた他の保育施設を示す項目等を含む。
【０１３２】
図１９は、事業所別画面の一例を示す第五の図である。図１９の画面６０３では、表示欄６５４に、選考関連情報６６２−５が表示されている。選考関連情報６６２−５は、Ｔ保育園の入所希望者が、Ｔ保育園に対して入所希望の申請をする前に在籍してした保育施設の名称を示す項目等を含む。
【０１３３】
また、本実施形態の選考関連情報６６２−５は、入所希望者のきょうだいの保育施設への入所の状況を示す項目「きょうだい入所結果」を含む。項目「きょうだい入所結果」の値は、例えば、入所希望者のきょうだいが保育施設に入所しているか否か示す情報や、入所希望者ときょうだいが同じＴ保育園に入所しているか否かを示す情報等を示す。
【０１３４】
図２０は、事業所別画面の一例を示す第六の図である。図２０の画面６０３では、表示欄６５４に、選考関連情報６６２−６が表示されている。選考関連情報６６２−６は、入所希望者の優先利用理由、選考優先区分、保護者氏名等の項目を含む。
【０１３５】
図２１は、事業所別画面の一例を示す第七の図である。図２１の画面６０３では、表示欄６５４に、選考関連情報６６２−７が表示されている。選考関連情報６６２−７は、入所希望者が、Ｔ保育園の入所希望を申請した申請日や、入所希望者の属する世帯の所得に応じた費用の割引金額等を示す項目等が含まれる。
【０１３６】
このように、本実施形態の事業所別画面である画面６０３に表示される選考関連情報６６２には、画面６０２でも表示された申請関連情報６３２を含む。また、本実施形態の選考関連情報６６２は、入所希望者のきょうだいに関する情報を含む。具体的には、選考関連情報６６２は、入所希望者のきょうだいの有無を示す情報、きょうだいの保育施設への入所の状況を示す情報を含む。
【０１３７】
入所希望者のきょうだいに関する情報は、例えば、入所希望者のＴ保育園への入所の選考に左右される場合がある。例えば、ある入所希望者は、きゅうだいと同じ保育施設への入所を希望しており、きょうだいがＴ保育園以外の保育施設に入所していた場合には、この入所希望者は、Ｔ保育園の入所者からは除外される可能性が高い。
【０１３８】
このように、本実施形態では、画面６０３に、入所希望者毎に、入所希望者の世帯内の情報（きょうだいに関する情報）を表示させる。
【０１３９】
本実施形態では、このように、世帯別画面において、人物と保育施設とが指定され、事業所別画面の表示指示が行われると、指定された保育施設について、入所希望者（入所者）毎に、選考結果情報と、選考関連情報とを表示させることができる。したがって、ある人物の希望入所先における選考結果を効率良く出力することができる。
【０１４０】
次に、画面６０３から、世帯別画面への遷移について説明する。図２２は、事業所別画面から遷移した世帯別画面の一例を示す図である。
【０１４１】
図２２は、世帯別画面６０４が表示されている。本実施形態では、例えば、図２１の入力欄６５５の選択欄６７１において、入所希望者「田中  ○江」が選択されている。この状態で、操作ボタン６７２が操作されると、画面６０３は、「田中  ○江」が属する世帯の世帯別情報を表示する世帯別画面である画面６０４に遷移する。
【０１４２】
この画面６０４には、画面６０３と同様に、表示欄６８１、入力欄６８２、入力欄６８３、表示欄６８４、入力欄６８５が表示される。
【０１４３】
本実施形態では、表示欄６８４に表示された世帯別情報を参照するができる。したがって、本実施形態では、例えば、Ｔ保育園への入所が認められた入所希望者「田中  ○江」が、どのような条件でＴ保育園への入所希望を申請していたかを閲覧することができる。
【０１４４】
このように、本実施形態では、事業所別画面において、入所希望者を選択すると、この事業所別画面を、選択された入所希望者が属する世帯の世帯別画面へ遷移させることができる。したがって、本実施形態によれば、保育施設毎の情報から、ある人物の世帯情報を効率的に出力させることができる。
【０１４５】
次に、図２３及び図２４を参照して、本実施形態の申請関連情報の登録について説明する。図２３は、申請関連情報の第一の登録画面の例を示す図である。
【０１４６】
図２３に示す画面６０５は、「田中  ○江」の申請関連情報を入力するための登録画面の一例を示している。
【０１４７】
本実施形態では、事業所別画面である画面６０３（図２１参照）において、入力欄６５５の操作ボタン６７３が操作されると、画面６０３が、申請関連情報の登録画面である画面６０５に遷移する。
【０１４８】
画面６０５は、表示欄６９１、入力欄６９２、表示欄６９３を含まれる。表示欄６９１には、申請関連情報の登録や照会を行う画面であることを示す情報が表示される。入力欄６９２では、申請関連情報が登録又は照会される個人の識別情報が入力される。
【０１４９】
また、本実施形態では、画面６０５において、タブ６９４が選択されると、表示欄６９３には、入力欄６９２で特定された個人の申請関連情報が表示される。表示欄６９３では、申請関連情報に含まれる項目毎に、情報が表示される。
【０１５０】
また、表示欄６９３では、申請関連情報に含まれる項目の値を入力することができる。本実施形態では、表示欄６９３において、項目に対応する値が入力されると、入力された値が申請関連情報の一部として、業務情報データベース２２０に格納される。
【０１５１】
図２４は、申請関連情報の第二の登録画面の例を示す図である。図２４に示す画面６０５では、表示欄９６３において、タブ６９５が選択された例を示している。本実施形態では、タブ６９５が選択されると、表示欄６９３には、入力欄６９２で識別情報が入力された個人が入所を希望している保育施設の一覧が表示される。
【０１５２】
また、表示欄６９３では、入所を希望する保育施設を入力することができる。本実施形態では、表示欄６９３において、保育施設名が入力されると、入力された内容が申請関連情報の一部として、業務情報データベース２２０に格納される。
【０１５３】
このように、本実施形態では、事業所別画面から、入所希望者を選択して、申請関連情報の登録画面への遷移指示を行うことができる。したがって、本実施形態によれば、事業所への入所を希望している入所希望者の申請関連情報を効率的に出力させることができる。
【０１５４】
次に、図２５を参照して、世帯別画面の変形例について説明する。図２５は、世帯別画面の変形例を示す図である。
【０１５５】
図２５に示す世帯別画面である画面６０２Ａでは、選考結果情報６３０Ａに含まれる項目「選考結果」の値として、保育施設への入所の可否を示す情報の他に、選考の手法を示す情報が含まれる。
【０１５６】
本実施形態では、業務情報データベース２２０に格納された業務情報を、人工知能によるマッチングツールに入力し、その出力を選考結果としている。このため、図２５に示す選考結果情報６３０Ａの項目「選考結果」の値には、保育施設への入所の可否を示す情報と、人工知能によるマッチングツールを仕様したことを示す情報として「ＡＩ」を表示している。
【０１５７】
本実施形態では、このように、選考の手法を示す情報を、選考結果情報に含めることで、例えば、どのような場合には、どのような手法で選考を行うことが適切であるか、といったことに対する考察を、選考結果情報を閲覧している自治体の職員等促すことができる。
【０１５８】
また、本実施形態では、例えば、ある一定の期間に保育施設への入所を希望する全ての入所希望者の申請関連情報を含む業務情報が業務情報データベース２２０に蓄積されると、この業務情報をマッチングツールへ入力し、全ての入所希望者に関する選考結果情報を取得しても良い。
【０１５９】
また、本実施形態では、マッチングツールの出力として取得した選考結果情報を元に、自治体の職員等が、業務情報を編集した後に、再度、編集後の業務情報をマッチングツールへ出力し、マッチングツールに対して選考結果情報の取得要求を行っても良い。
【０１６０】
また、このマッチングツールは、入所情報管理装置２００の外部の装置上で動作するものであっても良いし、入所情報管理装置２００上で動作するものであっても良い。
【０１６１】
開示の技術では、以下に記載する付記のような形態が考えられる。
（付記１）
入力を受け付けた個人の識別情報に基づき、前記個人の情報と、前記個人と同一の世帯に所属する１または複数の人物の情報とを表示し、
表示した前記１または複数の人物からある人物の指定と、前記ある人物に対応付けられた前記ある人物の希望した入所先の指定とを受け付けた際に、前記入所先における入所希望者の選考結果に関する情報を表示する、
処理をコンピュータに実行させることを特徴とする入所情報管理プログラム。
（付記２）
前記選考結果に関する情報は、前記入所希望者と同一の世帯に所属する人物の前記入所先における選考結果に関する情報を含む、付記１記載の入所情報管理プログラム。
（付記３）
前記入所先における前記入所希望者の一覧から、特定の人物の選択を受け付けると、選択された前記特定の人物の情報と、前記特定の自分と同一の世帯に所属する１または複数の人物の情報を表示する、処理を前記コンピュータに実行させる、付記１又は２記載の入所情報管理プログラム。
（付記４）
前記入所希望者は、前記入所先への入所が許容された人物と、前記入所先への入所が許容されなかった人物と、を含む、付記１乃至３の何れか一項に記載の入所情報管理プログラム。
（付記５）
前記個人の情報と、前記個人と同一の世帯に所属する１または複数の人物の情報とは、
前記個人と、前記個人と同一の世帯に所属する１または複数の人物と、が希望した入所先における選考結果を示す情報と、
前記個人と同一の世帯に所属する１または複数の人物とが希望する入所先を申請する際に登録された登録関連情報と、を含む、付記１乃至４の何れか一項に記載の入所情報管理プログラム。
（付記６）
前記選考結果に関する情報は、選考の手法を示す情報を含む、付記１乃至５の何れか一項に記載の入所情報管理プログラム。
（付記７）
コンピュータによる、入所情報管理方法であって、該コンピュータが、
入力を受け付けた個人の識別情報に基づき、前記個人の情報と、前記個人と同一の世帯に所属する１または複数の人物の情報とを表示し、
表示した前記１または複数の人物からある人物の指定と、前記ある人物に対応付けられた前記ある人物の希望した入所先の指定とを受け付けた際に、前記入所先における入所希望者の選考結果に関する情報を表示する、入所情報管理方法。
（付記８）
入力を受け付けた個人の識別情報に基づき、前記個人の情報と、前記個人と同一の世帯に所属する１または複数の人物の情報とを表示する第一の表示制御部と、
表示した前記１または複数の人物からある人物の指定と、前記ある人物に対応付けられた前記ある人物の希望した入所先の指定とを受け付けた際に、前記入所先における入所希望者の選考結果に関する情報を表示する第二の表示制御部と、を有する入所情報管理装置。
【０１６２】
本発明は、具体的に開示された実施形態に限定されるものではなく、特許請求の範囲から逸脱することなく、種々の変形や変更が可能である。
【符号の説明】
【０１６３】
１００  入所情報管理システム
２００  入所情報管理装置
２１０  住民情報データベース
２２０  業務情報データベース
２３０  選考結果データベース
２４０  入所情報管理処理部
２４１  入力受付部
２４２  世帯別情報抽出部
２４３  事業所別情報抽出部
２４４  表示制御部  
２４５  出力部
２４６  申請登録部
３００  端末装置
【図１】
2020042443.tif 000003
【図２】
2020042443.tif 000004
【図３】
2020042443.tif 000005
【図４】
2020042443.tif 000006
【図５】
2020042443.tif 000007
【図６】
2020042443.tif 000008
【図７】
2020042443.tif 000009
【図８】
2020042443.tif 000010
【図９】
2020042443.tif 000011
【図１０】
2020042443.tif 000012
【図１１】
2020042443.tif 000013
【図１２】
2020042443.tif 000014
【図１３】
2020042443.tif 000015
【図１４】
2020042443.tif 000016
【図１５】
2020042443.tif 000017
【図１６】
2020042443.tif 000018
【図１７】
2020042443.tif 000019
【図１８】
2020042443.tif 000020
【図１９】
2020042443.tif 000021
【図２０】
2020042443.tif 000022
【図２１】
2020042443.tif 000023
【図２２】
2020042443.tif 000024
【図２３】
2020042443.tif 000025
【図２４】
2020042443.tif 000026
【図２５】
2020042443.tif 000027